(57)【要約】      （修正有）【課題】光輝性色材を用いて目標色画像を印刷する際に、各色色材の色材量を調整する場合と比較して、印刷される目標色画像の画質の調整を容易に行うことを可能とする。【解決手段】ＵＩ（ユーザインタフェース）装置３３は、印刷しようとする目標色を特定するための色情報を受付ける。制御部３２は、ＵＩ装置３３により受付けられた色情報の目標色に対応して格納されている複数の測色値を測色値格納部４２から読み出してＵＩ装置３３の表示手段に表示する。ＵＩ装置３３は、制御部３２により表示手段に表示された複数の測色値に対する変更を受付ける。制御部３２は、ＵＩ装置３３により受付けた変更を測色値格納部４２に格納されている測色値に反映する。変換部４３は、ＵＩ装置３３により受付けた変更を反映した後の複数の測色値を、メタリックトナーのトナー量を示す値およびメタリックトナー以外のトナーのトナー量を示す値を含む色値に変換する。【選択図】図４
2019047337.tif 000002
【特許請求の範囲】
【請求項１】
光輝性を有する目標色画像を複数方向から測定することにより得られた複数の測色値を目標色毎に格納する格納手段と、
印刷しようとする目標色を特定するための色情報を受付ける色情報受付手段と、
前記色情報受付手段により受付けられた色情報の目標色に対応して格納されている複数の測色値を前記格納手段から読み出して表示手段に表示する制御を行う表示制御手段と、
前記表示制御手段により前記表示手段に表示された複数の測色値に対する変更を受付ける変更受付手段と、
前記変更受付手段により受付けた変更を反映した後の複数の測色値を、光輝性色材の色材量を示す値および光輝性色材以外の色材の色材量を示す値を含む色値に変換する変換手段と、
を備えた画像処理装置。
【請求項２】
前記格納手段に格納されている複数の測色値が、少なくとも明度情報を含む表色系により表現された値である請求項１記載の画像処理装置。
【請求項３】
前記表色系が、ＣＩＥ  Ｌ*ａ*ｂ*色空間により表現された表色系である請求項２記載の画像処理装置。
【請求項４】
前記複数の測色値が、目標色画像に斜め方向から光を照射した場合に、前記目標色画像の法線方向である正面方向において測色された目標色画像の測色値、および照射光に対する正反射方向において測色された目標色画像の測色値を含む請求項２記載の画像処理装置。
【請求項５】
前記表示制御手段は、正面方向において測色された測色値および、正反射方向において測色された測色値の明度情報を少なくとも前記表示手段に表示する制御を行う請求項４記載の画像処理装置。
【請求項６】
前記複数の測色値が、前記正面方向よりも照射光の入射方向に近い側の拡散光方向において測色された目標色画像の測色値をさらに含む請求項４又は５記載の画像処理装置。
【請求項７】
前記複数の測色値が、前記正面方向よりも正反射方向に近い方向において測色された目標色画像の測色値をさらに含む請求項４から６のいずれか記載の画像処理装置。
【請求項８】
測色方向および各色の色材の色材量の組み合わせと、実際に測色された色値とが対応付けられた色変換モデルが記憶された記憶手段をさらに備え、
前記変換手段は、各測色方向における目標色画像の測色値と、前記色変換モデルから得られる各測色方向の色値との色差の平均値が最小となるような色材量の組み合わせを決定する請求項１から７のいずれか記載の画像処理装置。
【請求項９】
前記変換手段は、光輝性色材の色材量を変化させずに光輝性色材以外の色材の色材量を変化させた場合の前記色差の平均値を、光輝性色材の異なる色材量毎に順次算出することにより、前記色差の平均値の最小値が最低となるような光輝性色材の色材量を決定し、光輝性色材の色材量を決定した際の光輝性色材以外の色材の色材量を決定することにより色差の平均値が最小となるような色材量の組み合わせを決定する請求項８記載の画像処理装置。
【請求項１０】
前記光輝性色材が、金属光沢色トナーである請求項１から９のいずれか記載の画像処理装置。
【請求項１１】
光輝性を有する目標色画像を複数方向から測定することにより得られた複数の測色値を目標色毎に格納する格納手段と、
印刷しようとする目標色を特定するための色情報を受付ける色情報受付手段と、
前記色情報受付手段により受付けられた色情報の目標色に対応して格納されている複数の測色値を前記格納手段から読み出して表示手段に表示する制御を行う表示制御手段と、
前記表示制御手段により前記表示手段に表示された複数の測色値に対する変更を受付ける変更受付手段と、
前記変更受付手段により受付けた変更を反映した後の複数の測色値を、光輝性色材の色材量を示す値および光輝性色材以外の色材の色材量を示す値を含む色値に変換する変換手段と、
前記変換手段により変換された色値に基づいて画像を出力する出力手段と、
を備えた画像形成装置。
【請求項１２】
印刷しようとする目標色を特定するための色情報を受付ける色情報受付ステップと、
前記色情報受付ステップにおいて受付けられた色情報の目標色に対応して格納されている複数の測色値を、光輝性を有する目標色画像を複数方向から測定することにより得られた複数の測色値を目標色毎に格納する格納手段から読み出して表示手段に表示する制御を行う表示制御ステップと、
前記表示制御ステップにおいて前記表示手段に表示された複数の測色値に対する変更を受付ける変更受付ステップと、
前記変更受付ステップにおいて受付けた変更を反映した後の複数の測色値を、光輝性色材の色材量を示す値および光輝性色材以外の色材の色材量を示す値を含む色値に変換する変換ステップと、
をコンピュータに実行させるためのプログラム。
【発明の詳細な説明】
【技術分野】
【０００１】
本発明は、画像処理装置、画像形成装置およびプログラムに関する。
【背景技術】
【０００２】
特許文献１には、与えられた色信号から該色信号の色を再現する場合のメタリック色の色材量の最大値を決定する最大量決定手段と、前記色信号の彩度が高いほど、メタリック色による見かけ上の色の変化に対して前記最大量決定手段で決定された最大値以下の範囲でメタリック色の色材量を減らす調整を行う調整手段と、前記色信号と前記調整手段で調整されたメタリック色の色材量とからメタリック色以外の色材量を決定する色材量決定手段を有することを特徴とする色処理装置が開示されている。
【０００３】
特許文献２には、拡散方向の測色値だけでなく、正反射方向の測色値の明度情報から算出された光沢程度情報を用いてメタリック色を含む各色のインク量をそれぞれ決定するようにした画像処理装置が開示されている。
【先行技術文献】
【特許文献】
【０００４】
【特許文献１】特許第５９２０５８０号公報
【特許文献２】特許第５９０９８８７号公報
【発明の概要】
【発明が解決しようとする課題】
【０００５】
本発明の目的は、光輝性色材を用いて目標色画像を印刷する際に、目標色画像を印刷するための各色色材の色材量を調整する場合と比較して、印刷される目標色画像の画質の調整を容易に行うことが可能な画像処理装置、画像形成装置およびプログラムを提供することである。
【課題を解決するための手段】
【０００６】
［画像処理装置］
請求項１に係る本発明は、光輝性を有する目標色画像を複数方向から測定することにより得られた複数の測色値を目標色毎に格納する格納手段と、
印刷しようとする目標色を特定するための色情報を受付ける色情報受付手段と、
前記色情報受付手段により受付けられた色情報の目標色に対応して格納されている複数の測色値を前記格納手段から読み出して表示手段に表示する制御を行う表示制御手段と、
前記表示制御手段により前記表示手段に表示された複数の測色値に対する変更を受付ける変更受付手段と、
前記変更受付手段により受付けた変更を反映した後の複数の測色値を、光輝性色材の色材量を示す値および光輝性色材以外の色材の色材量を示す値を含む色値に変換する変換手段とを備えた画像処理装置である。
【０００７】
請求項２に係る本発明は、前記格納手段に格納されている複数の測色値が、少なくとも明度情報を含む表色系により表現された値である請求項１記載の画像処理装置である。
【０００８】
請求項３に係る本発明は、前記表色系が、ＣＩＥ  Ｌ*ａ*ｂ*色空間により表現された表色系である請求項２記載の画像処理装置である。
【０００９】
請求項４に係る本発明は、前記複数の測色値が、目標色画像に斜め方向から光を照射した場合に、前記目標色画像の法線方向である正面方向において測色された目標色画像の測色値、および照射光に対する正反射方向において測色された目標色画像の測色値を含む請求項２記載の画像処理装置である。
【００１０】
請求項５に係る本発明は、前記表示制御手段が、正面方向において測色された測色値および、正反射方向において測色された測色値の明度情報を少なくとも前記表示手段に表示する制御を行う請求項４記載の画像処理装置である。
【００１１】
請求項６に係る本発明は、前記複数の測色値が、前記正面方向よりも照射光の入射方向に近い側の拡散光方向において測色された目標色画像の測色値をさらに含む請求項４又は５記載の画像処理装置である。
【００１２】
請求項７に係る本発明は、前記複数の測色値が、前記正面方向よりも正反射方向に近い方向において測色された目標色画像の測色値をさらに含む請求項４から６のいずれか記載の画像処理装置である。
【００１３】
請求項８に係る本発明は、測色方向および各色の色材の色材量の組み合わせと、実際に測色された色値とが対応付けられた色変換モデルが記憶された記憶手段をさらに備え、
前記変換手段は、各測色方向における目標色画像の測色値と、前記色変換モデルから得られる各測色方向の色値との色差の平均値が最小となるような色材量の組み合わせを決定する請求項１から７のいずれか記載の画像処理装置である。
【００１４】
請求項９に係る本発明は、前記変換手段が、光輝性色材の色材量を変化させずに光輝性色材以外の色材の色材量を変化させた場合の前記色差の平均値を、光輝性色材の異なる色材量毎に順次算出することにより、前記色差の平均値の最小値が最低となるような光輝性色材の色材量を決定し、光輝性色材の色材量を決定した際の光輝性色材以外の色材の色材量を決定することにより色差の平均値が最小となるような色材量の組み合わせを決定する請求項８記載の画像処理装置である。
【００１５】
請求項１０に係る本発明は、前記光輝性色材が、金属光沢色トナーである請求項１から９のいずれか記載の画像処理装置である。
【００１６】
[画像形成装置]
請求項１１に係る本発明は、光輝性を有する目標色画像を複数方向から測定することにより得られた複数の測色値を目標色毎に格納する格納手段と、
印刷しようとする目標色を特定するための色情報を受付ける色情報受付手段と、
前記色情報受付手段により受付けられた色情報の目標色に対応して格納されている複数の測色値を前記格納手段から読み出して表示手段に表示する制御を行う表示制御手段と、
前記表示制御手段により前記表示手段に表示された複数の測色値に対する変更を受付ける変更受付手段と、
前記変更受付手段により受付けた変更を反映した後の複数の測色値を、光輝性色材の色材量を示す値および光輝性色材以外の色材の色材量を示す値を含む色値に変換する変換手段と、
前記変換手段により変換された色値に基づいて画像を出力する出力手段とを備えた画像形成装置である。
【００１７】
[プログラム]
請求項１２に係る本発明は、印刷しようとする目標色を特定するための色情報を受付ける色情報受付ステップと、
前記色情報受付ステップにおいて受付けられた色情報の目標色に対応して格納されている複数の測色値を、光輝性を有する目標色画像を複数方向から測定することにより得られた複数の測色値を目標色毎に格納する格納手段から読み出して表示手段に表示する制御を行う表示制御ステップと、
前記表示制御ステップにおいて前記表示手段に表示された複数の測色値に対する変更を受付ける変更受付ステップと、
前記変更受付ステップにおいて受付けた変更を反映した後の複数の測色値を、光輝性色材の色材量を示す値および光輝性色材以外の色材の色材量を示す値を含む色値に変換する変換ステップとをコンピュータに実行させるためのプログラムである。
【発明の効果】
【００１８】
請求項１に係る本発明によれば、光輝性色材を用いて目標色画像を印刷する際に、目標色画像を印刷するための各色色材の色材量を調整する場合と比較して、印刷される目標色画像の画質の調整を容易に行うことが可能な画像処理装置を提供することができる。
【００１９】
請求項２に係る本発明によれば、印刷される目標色画像の光沢感の調整をより容易に行うことが可能な画像処理装置を提供することができる。
【００２０】
請求項３に係る本発明によれば、印刷される目標色画像の光沢感の調整をより容易に行うことが可能な画像処理装置を提供することができる。
【００２１】
請求項４に係る本発明によれば、印刷される目標色画像を正面方向および正反射方向から見た場合の画質の調整を容易に行うことが可能な画像処理装置を提供することができる。
【００２２】
請求項５に係る本発明によれば、印刷される目標色画像を正面方向から見た場合の色味および正反射方向から見た場合の明るさの調整を容易に行うことが可能な画像処理装置を提供することができる。
【００２３】
請求項６に係る本発明によれば、印刷される目標色画像を正面方向よりも照射光の入射方向に近い側から見た場合の画質の調整を容易に行うことが可能な画像処理装置を提供することができる。
【００２４】
請求項７に係る本発明によれば、印刷される目標色画像を正面方向よりも正反射方向に近い側から見た場合の画質の調整を容易に行うことが可能な画像処理装置を提供することができる。
【００２５】
請求項８に係る本発明によれば、光輝性色材を用いて目標色画像を印刷する際に、目標色画像を特定方向から測色した測色値のみを用いて各色の色材量を決定した場合と比較して、印刷された目標色画像を複数方向から見た場合の色再現性を高くすることが可能な画像処理装置を提供することができる。
【００２６】
請求項９に係る本発明によれば、光輝性色材の色材量を一致の値とする場合と比較して、印刷された目標色画像の色再現性を高くすることが可能な画像処理装置を提供することができる。
【００２７】
請求項１０に係る本発明によれば、金属光沢色トナーを用いて目標色画像を印刷する際に、目標色画像を印刷するための各色色材の色材量を調整する場合と比較して、印刷される目標色画像の画質の調整を容易に行うことが可能な画像処理装置を提供することができる。
【００２８】
請求項１１に係る本発明によれば、光輝性色材を用いて目標色画像を印刷する際に、目標色画像を印刷するための各色色材の色材量を調整する場合と比較して、印刷される目標色画像の画質の調整を容易に行うことが可能な画像形成装置を提供することができる。
【００２９】
請求項１２に係る本発明によれば、光輝性色材を用いて目標色画像を印刷する際に、目標色画像を印刷するための各色色材の色材量を調整する場合と比較して、印刷される目標色画像の画質の調整を容易に行うことが可能なプログラムを提供することができる。
【図面の簡単な説明】
【００３０】
【図１】本発明の一実施形態の画像形成装置１０の外観構成を示す図である。
【図２】画像形成装置１０の本体部内の構造を説明するための図である。
【図３】本発明の一実施形態の画像形成装置１０のハードウェア構成を示すブロック図である。
【図４】本発明の一実施形態の画像形成装置１０の機能構成を示すブロック図である。
【図５】測定対象画像５０を３角度の測色方向（１５°、４５°、１１０）から測色する場合の様子を示す図である。
【図６】測色値格納部４２に格納される測色値の一例を示す図である。
【図７】変換部４３により、３角度の測色方向における測色値を、各色トナーのトナー量を示す値（ＣＭＹＫＳｉ）を変換する様子を示す図である。
【図８】色変換モデル記憶部４４に記憶される色変換モデルの作成方法を説明するための図である。
【図９】本発明の一実施形態の画像形成装置１０における色変換装置４０の動作を説明するためのフローチャートである。
【図１０】変換部４３が色変換の際に用いる目的関数を説明するための図である。
【図１１】最適Ｓｉ値の決定方法を説明するための図である。
【図１２】ＣＭＹＫトナーのみによる通常画像の測色方法を説明するための図である。
【図１３】正面方向（４５°）の測色値のみを用いてメタリック色の色見本画像を再現した場合の問題点を説明するための図である。
【図１４】ＣＭＹＫトナー画像とメタリック色の色見本画像との反射特性の違いを説明するための図である。
【図１５】本発明の一実施形態の色変換方法によりトナー量を決定してメタリック色の色見本画像を印刷した場合の画像例を示す図である。
【図１６】特色名を指定することにより測色値格納部４２に格納されている測色値が画面に表示される場合の表示画面例を示す図である。
【図１７】ユーザが測色値格納部４２に格納されている測色値を変更しようとする場合の画面表示例を示す図である。
【図１８】正面方向（４５°）において測色された測色値の全ての値（Ｌ*値、ａ*値、ｂ*値）および正反射方向において測色された測色値のうちの明度情報（Ｌ*値）を変更可能なように表示する場合の表示画面例を示す図である。
【図１９】５角度の測色方向により測色する場合を説明するための図である。
【発明を実施するための形態】
【００３１】
次に、本発明の実施の形態について図面を参照して詳細に説明する。
【００３２】
図１は本発明の一実施形態の画像形成装置１０の外観構成を示す図である。
【００３３】
本実施形態の画像形成装置１０は、図１に示されるように、業務用印刷に用いられるいわゆるプロダクションプリンタであり、高画質、高速な印刷処理を実行できるような機能を有している。
【００３４】
この画像形成装置１０の本体部内の構造を図２を参照して説明する。画像形成装置１０は、図２に示されるように、５つの画像形成ユニット２４を備えている。この５つの画像形成ユニット２４は、それぞれイエロー（Ｙ）、マゼンタ（Ｍ）、シアン（Ｃ）、ブラック（Ｋ）および特別色のトナーを用いて画像形成するように構成されている。
【００３５】
なお、特別色のトナーには、銀色のシルバートナー（Ｓｉ）、金色のゴールドトナー（Ｇ）、透明トナー、白色トナー等が存在し、この特別色のトナーの中から１つのトナーを選択して使用することが可能になっている。図２では、これらの特別色のトナーの中から、シルバートナー（Ｓｉ）を選択してセットした場合が示されている。
【００３６】
なお、本実施形態では、シルバートナー、ゴールドトナー等のメタリック（金属光沢色）トナーを用いて画像を形成する場合において、ＣＭＹＫＳｉ各色のトナー量（色材量）を決定する場合について説明するものであるが、以下の説明ではシルバートナーを用いて画像を形成する場合を用いて説明する。
【００３７】
ここで、トナー量とは、記録媒体上の単位面積当たりに使用されるトナーの量、例えばトナー重量（ｇ／ｍ2）を意味するが、以下の説明では、単位面積、例えば１ピクセル当たり使用する各色トナーの量の最大値を１００％とした場合の、印刷する際に使用する各色のトナー量の割合を％で示した値（トナーカバレッジ）で表現する。
【００３８】
画像形成ユニット２４は、それぞれ、感光体ドラム、感光体ドラムの表面を一様に帯電する帯電装置、感光体ドラム上に形成された静電潜像を現像する現像装置等を有している。画像形成ユニット２４の感光体ドラムは、それぞれ、光走査装置２６により照射されたレーザ光により静電潜像が形成され、各色のトナーにより現像されて画像が形成される。
【００３９】
そして、画像形成ユニット２４において形成された各色の画像は、中間転写ベルト２２に転写された後に搬送されてきた印刷用紙上にさらに転写される。そして、印刷用紙上に転写されたトナー像は定着器２８により熱と圧力により印刷用紙上に定着される。
【００４０】
次に、本実施形態の画像形成装置１０のハードウェア構成を図３に示す。
【００４１】
画像形成装置１０は、図３に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、プリントエンジン１６、後処理装置１７を有する。これらの構成要素は、制御バス１８を介して互いに接続されている。
【００４２】
プリントエンジン１６は、帯電、露光、現像、転写、定着などの工程を経て印刷用紙等の記録媒体上に画像を印刷する。後処理装置１７は、プリントエンジン１６により印刷処理が行われた後の用紙に対して、ステイプル処理、パンチ処理、折り処理等の各種後処理を実行する。
【００４３】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４４】
図４は、上記の制御プログラムが実行されることにより実現される画像形成装置１０の機能構成を示すブロック図である。
【００４５】
本実施形態の画像形成装置１０は、図３に示されるように、印刷ジョブ受信部３１と、制御部３２と、ＵＩ装置３３と、出力部３４と、色変換装置４０とを備えている。そして、色変換装置４０は、測色値登録部４１と、測色値格納部４２と、変換部４３と、色変換モデル（プリンタモデル）記憶部４４とを備えている。なお、色変換装置４０は、トナー量を決定するための色変換処理だけでなく、色変換モデルを生成する等の他の画像処理も実行する画像処理装置として機能する。
【００４６】
印刷ジョブ受信部３１は、外部の端末装置等からネットワークを介して印刷指示を受信する。
【００４７】
制御部３２は、印刷ジョブ受信部３１により受信された印刷ジョブに基づいて、出力部３４を制御することにより印刷処理を実行する。
【００４８】
ＵＩ装置３３は、ユーザからの操作を入力したり、各種情報をユーザに表示するための表示手段を含む装置である。
【００４９】
ここで、印刷ジョブ受信部３１により受信された印刷ジョブの画像中に、特色が指定されている場合、制御部３２は、指定されている特色名（特色番号）の情報を色変換装置４０に転送して、指定された特色のトナー量を色変換装置４０からの指示に基づいて決定する。
【００５０】
色変換装置４０は、予め特色のトナー量を決定するために、特色の色見本画像を測色した測色値を測色装置５４（不図示）から受け取って記憶しておき、特色名の情報を受け取ると、記憶していた測色値を、シルバートナー（Ｓｉトナー）を含むＣＭＹＫＳｉ値に変換して制御部３２に出力する。以下の説明では、この色変換装置４０を構成する測色値登録部４１、測色値格納部４２、変換部４３、色変換モデル記憶部４４について説明する。
【００５１】
なお、特色の色見本画像としては、例えば、ＰＡＮＴＯＮＥ（登録商標）社などから提供されているメタリック色の各種の色見本画像が用いられる。
【００５２】
測色値登録部４１は、特色の色見本である目標色画像を複数方向から測色することにより得られた複数の測色値を測色装置５４から受け取って、測色値格納部４２に登録する。具体的には、測色値登録部４１は、図５に示すように、目標色画像に斜め方向から光を照射した場合に、目標色画像の法線方向である正面方向（４５°）において測色された目標色の測色値、および照射光に対する正反射方向（１５°）において測色された目標色画像の測色値、正面方向（４５°）よりも照射光の入射方向に近い側の拡散光方向（１１０°）において測色された目標色画像の測色値を受付けて測色値格納部４２に登録する。
【００５３】
なお、図５は、測定対象画像５０を３角度の測色方向（１５°、４５°、１１０）から測色する場合の様子を示す図であり、光源５２からの照射光を目標対象画像５０に対して斜め４５°方向から照射して、正反射方向を０°（基準方向）とした場合に、１５°、４５°、１１０°方向において測色装置５４により測色する様子が示されている。
【００５４】
なお、図５において４５°方向は、測定対象画像５０の正面方向（法線方向）となっている。また、１５°方向は測定対象画像５０の正反射光を測色するための正反射方向となっている。なお、正反射光を測色するための正反射方向を０°方向とせずに、１５°ずらしているのは、０°方向において測色したのでは正反射光が直接測色装置５４に入射されてしまい、測定対象の色味が測色できないからである。
【００５５】
そして、図５では、１１０°方向を測定対象画像５０からの拡散光を測色するための拡散光方向として設定している。
【００５６】
なお、メタリック色の色見本のような見る方向で色味が変化するような画像以外の通常の画像を測色する際には、正面方向（４５°）からのみ測色を行っている。本実施形態では、この正面方向（４５°）に加えて、正反射方向（１５°）、拡散光方向（１１０°）からも測色を行って測色値を得るようにしている点が通常の測色方法とは異なっている。
【００５７】
なお、少なくとも２方向、例えば、正面方向（４５°）と、正反射方向（１５°）からの測色値を用いてシルバートナーのトナー量を含む色値を算出するようにすることも可能である。
【００５８】
測色値格納部４２は、測色値登録部４１により受付けた複数の測色方向の測色値を、それぞれ特色名（特色番号）等の特色を識別可能な情報とともに格納する。つまり、測色値格納部４２は、光輝性を有するメタリック色の色見本画像を複数方向から測定することにより得られた複数の測色値を目標色毎に格納する。
【００５９】
この測色値格納部４２に格納される測色値の一例を図６に示す。図６では、測色値格納部４２には、カスタム色１、カスタム色２等の特色名とともに、その特色名の特色の正反射方向（１５°）、正面方向（４５°）、拡散光方向（１１０°）におけるＬ*値、ａ*値、ｂ*値がそれぞれ格納される様子が示されている。なお、ここでカスタム色１、カスタム色２という特色名の特色は、色見本における特色名もしくは、ユーザが独自に調整・作成した特色である。
【００６０】
変換部４３は、制御部３２から特色名の情報を指示された場合、その特色名の測色値を測色値格納部４２から読出し、読み出した複数の測色方向の測色値を、光輝性色材であるシルバートナーのトナー量を示す値Ｓｉおよびシルバートナー以外のトナーのトナー量を示す値ＣＭＹＫを含む色値（ＣＭＹＫＳｉ）に変換する。
【００６１】
この変換部４３により、３角度の測色方向における測色値を、各色トナーのトナー量を示す値（ＣＭＹＫＳｉ）を変換する様子を図７に示す。
【００６２】
なお本実施形態では測色装置５４から出力される測色値がＣＩＥ（国際照明委員会）  Ｌ*ａ*ｂ*表色系で表された信号となっている場合を用いて説明するため、以降の説明では、正面方向（４５°）の測色値をＬ*ａ*ｂ*（４５°）、正反射方向（１５°）の測色値をＬ*ａ*ｂ*（１５°）、拡散光方向（１１０°）の測色値をＬ*ａ*ｂ*（１１０°）として表現する。
【００６３】
図７に示されるように、変換部４３は、正面方向の測色値（Ｌ*（４５°）、ａ*（４５°）、ｂ*（４５°））、正反射方向の測色値（Ｌ*（１５°）、ａ*（１５°）、ｂ*（１５°））、拡散光方向の測色値（Ｌ*（１１０°）、ａ*（１１０°）、ｂ*（１１０°））をそれぞれ入力して、色変換モデル記憶部４４に記憶されている色変換モデルを用いて、ＣＭＹＫＳｉ値を出力する。なお、変換部４３が、入力された測色値を色変換モデルを用いてＣＭＹＫＳｉ値に変換する処理の詳細については後述する。
【００６４】
このように印刷ジョブ受信部３１により受信された印刷ジョブに特色の指定がされている場合、制御部３２は、色変換装置４０における変換部４３により変換された色値（ＣＭＹＫＳｉ）に基づいて画像を出力するよう出力部３４を制御する。
【００６５】
なお、色変換モデル記憶部４４は、測色方向および各色のトナーのトナー量の組み合わせと、実際に測色された測色値とが対応付けられた色変換モデル（（Ｌ*、ａ*、ｂ*）＝ｆ（Ｃ、Ｍ、Ｙ、Ｋ、Ｓｉ、θ））が記憶されている。
【００６６】
この色変換モデル記憶部４４内の色変換モデルの作成方法を図８を参照して説明する。
【００６７】
先ず、様々な組み合わせのＣ、Ｍ、Ｙ、Ｋ、Ｓｉ値により色票（パッチ）画像を出力する。そして、それぞれの色票に対して図５に示したような測色方法により、３角度の測色方向（１５°、４５°、１１０°）により測色を行う。その結果、それぞれの色票について、Ｌ*ａ*ｂ*（１５°）、Ｌ*ａ*ｂ*（４５°）、Ｌ*ａ*ｂ*（１１０°）という測色値が得られることになる。
【００６８】
そして、これらの値に基づいて、（Ｃ、Ｍ、Ｙ、Ｋ、Ｓｉ、θ（測色方向））を入力することにより色値（Ｌ*、ａ*、ｂ*）が得られるような色変換モデルを作成する。
【００６９】
具体的には、予め様々なＣ、Ｍ、Ｙ、Ｋ、Ｓｉ、θの値の組み合わせによって再現される色を測色してＬ*ａ*ｂ*値を取得することにより、複数の（Ｃ、Ｍ、Ｙ、Ｋ、Ｓｉ、θ）と（Ｌ*，ａ*，ｂ*）の組が得られる。この組を用いることにより（Ｌ*、ａ*、ｂ*）＝ｆ（Ｃ、Ｍ、Ｙ、Ｋ、Ｓｉ、θ）なる関数関係が得られるので、これを色変換モデルとすればよい。この色変換モデルを用いることにより、各色のトナー量ＣＭＹＫＳｉと、測色方向θが与えられると、予測される色値Ｌ*ａ*ｂ*を求めることができる。なお、この色変換モデルに用いる関数としては、重回帰式、ニューラルネットワーク、ダイレクトルックアップテーブルを用いた補間など、色変換モデルとして一般的な関数を用いることができる。
【００７０】
このようにして、（Ｌ*、ａ*、ｂ*）＝ｆ（Ｃ、Ｍ、Ｙ、Ｋ、Ｓｉ、θ）という関数により表現される色変換モデル（基準用紙用色変換モデル）が作成され、作成された色変換モデルは色変換モデル記憶部４４に記憶される。
【００７１】
次に、本実施形態の画像形成装置１０における色変換装置４０の動作を図９のフローチャートを参照して説明する。
【００７２】
先ず、測色値登録部４１は、目標色画像であるメタリック色の色見本の正反射方向（１５°）、正面方向（４５°）、拡散光方向（１１０°）の測色値（Ｌ*ａ*ｂ*（１５°）、Ｌ*ａ*ｂ*（４５°）、Ｌ*ａ*ｂ*（１１０°））を受付ける（ステップＳ１０１）。そして、測色値登録部４１により受付けられた３方向の測色方向から測色された測色値は、特色名の情報とともに測色値格納部４２に格納される。
【００７３】
そして、変換部４３は、制御部３２から特色名を指定され、指定された特色のトナー量を決定しようとする場合、先ずＫ値を０（％）、Ｓｉ値を１００（％）に設定する（ステップＳ１０２）。
【００７４】
次に、変換部４３は、３角度の各測色方向における目標色画像の測色値と、色変換モデルから得られる各測色方向の色値との色差の平均値が最小となるような色材量の組み合わせを決定する（ステップＳ１０３）。
【００７５】
具体的には、変換部４３は、３角度の各測色方向における目標色画像の測色値と、色変換モデルから得られる各測色方向の色値との色差の加重平均（重み付け平均）値ΔＥ（ＷＡＶＧ）を算出し、この色差の加重平均値ΔＥ（ＷＡＶＧ）が最小となるＣＭＹ値を決定する。
【００７６】
この色差の加重平均値の具体例について図１０を用いて説明する。図１０に示すように、各測色方向における色差の加重平均値ΔＥ（ＷＡＶＧ）＝｛ｗ１×（（Ｌ*ａ*ｂ*（１５°）とｆ（Ｃ、Ｍ、Ｙ、０、Ｓｉ、１５）との色差）＋ｗ２×（（Ｌ*ａ*ｂ*（４５°）とｆ（Ｃ、Ｍ、Ｙ、０、Ｓｉ、４５）との色差）＋ｗ３×（（Ｌ*ａ*ｂ*（１１０°）とｆ（Ｃ、Ｍ、Ｙ、０、Ｓｉ、１１０）との色差）｝／（ｗ１＋ｗ２＋ｗ３）という式により加重平均値の算出を行う。
【００７７】
ここで、ｗ１、ｗ２、ｗ３は、それぞれ、正反射方向（１５°）の重み付け係数、正面方向（４５°）の重み付け係数、拡散光射方向（１１０°）の重み付け係数であり、通常は同じ値に設定する。
【００７８】
例えば、各測色方向における色差をそれぞれ同じ重み付けで扱う場合には、重み付け係数としてｗ１＝ｗ２＝ｗ３＝１とすれば良い。この場合には、色差の加重平均値ΔＥ（ＷＡＶＧ）は単純平均値となる。
【００７９】
なお、出力画像のメタリック感を調整する場合は、ｗ１、ｗ２、ｗ３を変更すれば良く、たとえばｗ１をｗ２、ｗ３よりも大きな重み係数に設定することにより、正反射方向（１５°）の色差をより低減するようにＣＭＹ値が決定され、メタリック感の高い画像を得ることができる。
【００８０】
なお、色値Ｐ＝（Ｌ1*、ａ1*、ｂ1*）と、色値Ｑ＝（Ｌ2*、ａ2*、ｂ2*）との色差ΔＥ（ＰＱ）は下記の計算式により算出される。
ΔＥ（ＰＱ）＝（（Ｌ1*−Ｌ2*）2＋（ａ1*−ａ2*）2＋（ｂ1*−ｂ2*）2）1/2
【００８１】
そして、変換部４３は、この色差の加重平均値ΔＥ（ＷＡＶＧ）が最小となるＣＭＹ値を算出する。ここで、変換部４３が、色差の加重平均値ΔＥ（ＷＡＶＧ）が最小となるＣＭＹ値を算出する際の具体的な方法としては、例えばシンプレックス法やニュートン法などの非線形方程式の数値解法を適用して最適化問題を解決する一般的な方法を用いることができる。
【００８２】
そして、色差の加重平均値ΔＥ（ＷＡＶＧ）が最小となるＳｉ値が確定した場合（ステップＳ１０４においてｙｅｓ）、処理をステップＳ１０６に進めるが、ここではまだＳｉ値が確定していないため（ステップＳ１０４においてｎｏ）、変換部４３は、Ｓｉ値を、例えば９９％、９８％、９７％・・・のように１００％から順次減少させる（ステップＳ１０５）。
【００８３】
そして、変換部４３は、再度ステップＳ１０３の処理を実行し、色差の加重平均値ΔＥ（ＷＡＶＧ）が最小となるＳｉ値が確定するまで処理を繰り返す。そして、色差の加重平均値ΔＥ（ＷＡＶＧ）が最小となるＳｉ値が確定した場合（ステップＳ１０４においてｙｅｓ）、そのＳｉ値を最適Ｓｉ値とする（ステップＳ１０６）。
【００８４】
この最適Ｓｉ値の決定方法を図１１を参照して説明する。
【００８５】
上述したようにＳｉ値を１００％から順次減少させながら３角度の測色方向における色差の加重平均値ΔＥ（ＷＡＶＧ）を算出することにより、この色差の加重平均値ΔＥ（ＷＡＶＧ）が図１０に示すように変化したものとする。この図１１に示すような場合、最も色差の加重平均値ΔＥ（ＷＡＶＧ）が最小となる７８％が最適Ｓｉ値となる。
【００８６】
そして、変換部４３は、この最適Ｓｉ値が求められた際のＣＭＹ値を最適ＣＭＹ値として決定する（ステップＳ１０６）。つまり、変換部４３は、Ｓｉトナーのトナー量を変化させずにＳｉトナー以外のＣＭＹトナーのトナー量を変化させた場合の色差の加重平均値の最小値を、Ｓｉトナーの異なるトナー量毎に順次算出することにより、色差の加重平均値の最小値が最低となるような最適Ｓｉ値を決定し、最適Ｓｉ値を決定した場合のＣＭＹトナーのトナー量を決定することにより色差の加重平均値が最小となるようなトナー量の組み合わせを決定する。
【００８７】
最後に、変換部４３は、最適ＣＭＹ値、最適Ｓｉ値、Ｋ＝０（％）を、測色したメタリック色の色見本画像に対するトナー量ＣＭＹＫＳiとして制御部３２に出力する（ステップＳ１０７）。
【００８８】
このように、変換部４３は、先ずＳｉトナーのトナー量を変化させずにＳｉトナー以外の他色のトナー（ＣＭＹ）のトナー量を変化させた場合の色差の加重平均値ΔＥ（ＷＡＶＧ）を、Ｓｉトナーの異なるトナー量毎に順次算出することにより、色差の加重平均値ΔＥ（ＷＡＶＧ）の最小値が最低となるようなＳｉトナーのトナー量を決定し、Ｓｉトナーのトナー量を決定した際のＳｉトナー以外のトナーのトナー量を決定することにより色差の平均値が最小となるようなトナー量の組み合わせを決定する。
【００８９】
次に、本実施形態の色変換装置４０では３角度の測色方向（１５°、４５°、１１０°）により測色された測色値を用いて、メタリック色の色見本画像を再現する際のＣＭＹＫＳｉトナーのそれぞれのトナー量を決定している理由を以下において説明する。
【００９０】
先ず、ＣＭＹＫトナーのみによる通常画像の測色方法を図１２を参照して説明する。メタリック色トナーを含まないＣＭＹＫトナーのみによる通常画像の反射特性は図１２に示すようになっており、正反射方向の光量は他方向よりも大きくなっているが、正反射方向以外の他の方向の拡散光の光量はほぼ同じとなっているのが分かる。そのため、通常の測色方法では、光源５２からの照射光を斜め方向で測定対象画像５０に照射して、正面方向（４５°）における色値を測色装置５４により測色している。
【００９１】
このような通常の測色方法によりメタリック色の色見本を測色して、その測色値に基づいてＣＭＹＫＳｉトナーのトナー量を決定することにより色見本画像を再現した場合の問題点を図１３を参照して説明する。
【００９２】
このように正面方向（４５°）の測色値のみを用いてメタリック色の色見本を再現した場合、正面方向（４５°）から見た場合の色味は近づけることが可能である。しかし、例えば１５°の正反射方向から見た場合の色味が大きく変わってしまう場合がある。図１２に示した例では、１５°の正反射方向から見た場合に、実際のメタリック色の色見本と比較して、ＣＭＹＫＳｉトナーにより印刷した再現画像では濃度が濃くなっており、濃度が異なる状態となっているのが分かる。
【００９３】
通常の環境下においては、様々な方向からの光が観察対象に照射されて反射された状態となっているため、人はこの様々な反射光を見て物体の色を判断している。そのため、見た方向からの色が大きく変化するメタリック色の画像等において、ある方向から見た場合の色のみを再現したとしても他方向から見た場合の色味が実際の画像とは大きく異なると、実際の照明下で見た場合の色味も変ってしまうことになる。
【００９４】
次に、ＣＭＹＫトナー画像とメタリック色の色見本画像との反射特性の違いを図１４を参照して説明する。
【００９５】
メタリック色の色見本画像とＣＭＹＫトナー画像とでは、反射特性の違いにより、メタリック色の色見本画像では、ＣＭＹＫトナー画像に対して、正反射方向（１５°）の明度が高く、拡散光方向（１１０°）の明度が低くなっている。
【００９６】
そのため、本実施形態の色変換装置４０では、正面方向（４５°）における測色値だけでなく、正反射方向（１５°）および拡散光方向（１１０°）における測色値を用いて、それぞれの測色方向における色差の平均値が小さくなるようなＣＭＹＫＳｉトナー量の値を決定することにより、いずれの方向から見た場合でも色見本画像に近くなるような画像を再現するようにしている。
【００９７】
このような色変換方法によりトナー量を決定する本実施形態の画像形成装置１０により、メタリック色の色見本画像を印刷した場合の画像例を図１５に示す。
【００９８】
図１５に示すように、本実施形態の色変換方法によりトナー量が決定されたＣＭＹＫＳｉトナーにより画像を印刷した場合、正面方向（４５°）から見た場合だけでなく、正反射方向（１５°）から見た場合の色味もメタリック色の色見本画像に近づいているのが分かる。また、図１５には示されていないが、拡散光方向（１１０°）から見た場合の色味は、色見本画像と比較して明度が若干高くなるが、拡散光方向（１１０°）における色差を反映してトナー量を決定しているので、拡散光方向（１１０°）における色差をあまり大きくすることなく正反射方向（１５°）の濃度を色見本画像に近づけることができる。
【００９９】
上記で説明したようなトナー量の決定方法によれば、複数方向から見た場合の色再現性を高めた目標色画像を印刷するためのＣＭＹＫＳｉトナーのそれぞれトナー量を決定することができる。
【０１００】
そして、本実施形態の画像形成装置１０では、測色値格納部４２に格納された各特色の測色値を変更することができるようになっている。具体的には、出力部３４により出力された画像の色味や光沢感をユーザが調整したい場合、測色値格納部４２に格納されているそれぞれの測色方向の測色値の値を変更することができるようになっている。
【０１０１】
具体的には、ＵＩ装置３３は、印刷しようとする目標色を特定するための色情報を受付ける。そして、制御部３２は、ＵＩ装置３３により受付けられた色情報の目標色に対応して格納されている複数の測色値を測色値格納部４２から読み出してＵＩ装置３３の表示手段に表示する制御を行う。
【０１０２】
そして、ＵＩ装置３３は、制御部３２により表示手段に表示された複数の測色値に対する変更を受付ける。すると制御部３２は、ＵＩ装置３３により受付けた変更を測色値格納部４２に格納されている測色値に反映する。
【０１０３】
その結果、変換部４３は、ＵＩ装置３３により受付けた変更を反映した後の複数の測色値を、メタリックトナーのトナー量を示す値およびメタリックトナー以外のトナーのトナー量を示す値を含む色値に変換する。
【０１０４】
このような測色値格納部４２に格納されている測色値の変更を行う場合の表示画面例を図１６〜図１８を参照して説明する。
【０１０５】
先ず、特色名を指定することにより測色値格納部４２に格納されている測色値が画面に表示される場合の表示画面例を図１６に示す。
【０１０６】
図１６では、特色名として「カスタム色１」を指定することにより、この「カスタム色１」に対応して格納されている、各測色方向（１５°、４５°、１１０°）の測色値が表示されている例が示されている。
【０１０７】
なお、新たに測色した測色値を測色値格納部４２に登録する場合には、登録しようとする特色を測色装置５４により測色して「測色器から入力」というボタンをタッチすることにより、測色値が図１６に示すように表示される。そして、ユーザが、その特色の特色名を入力して「保存」ボタンをタッチすることにより、各測色値が、入力された特色名と対応付けられて測色値格納部４２に格納される。
【０１０８】
ここで、ユーザが測色値格納部４２に格納されている測色値を変更しようとする場合の画面表示例を図１７に示す。
【０１０９】
図１７に示す画面表示例では、ユーザが正反射方向（１５°）の測色方向における明度情報（Ｌ*（１５°））を「１００」から「１１２」に変更する場合の様子が示されている。
【０１１０】
そして、このように測色値が変更されることにより表示画面上におけるプレビュー表示の画像は、変更後の値に基づく画像に変更されることになる。
【０１１１】
最後に、ユーザが測色値を変更後に「保存」ボタンをタッチすることにより、変更後の測色値が測色値格納部４２に格納される。そのため、この変更処理が行われた後に、制御部３２から変換部４３に対して「カスタム色１」が指定された場合、変換部４３は、変更後の測色値に基づいたトナー量を算出して制御部３２に通知することになる。その結果、出力部３４から出力される「カスタム色１」の特色画像も、変更後の測色値に基づいたものとなる。
【０１１２】
なお、本実施形態のように測色方向毎に測色値を変更することを可能とすることにより、出力された特色画像を視認した方向毎の色味、明度等を調整することができる。ここで、制御部３２において、ＣＭＹＫＳｉのトナー量を変更することにより出力される画像の色調整を行おうとしても、どの色のトナー量を調整すれば光沢感を変更できるのか、どの色のトナー量を調整すればどの方向から視認した場合の色味を変更することができるのかを判断することは色調整に慣れないユーザにとっては難しい。
【０１１３】
シルバートナーのような光輝性を有する色材を用いた画像では、光輝性を有する色材と光輝性を有していない色材とのバランスにより光沢感や色味が実現される。そのため、単に、シルバートナーのトナー量であるＳｉ値を大きくしても、光沢感と他の色味とのバランスがくずれてしまい希望するような出力結果が得られなくなる可能性もある。
【０１１４】
そのため、トナー量（ＣＭＹＫＳｉ）を変更するのではく、各測色方向の測色値（Ｌ＊ａ＊ｂ＊）を変更することにより目標色画像の色調整を行うことにより、ユーザは印刷される目標色画像の画質の調整を容易に直観的に行えることになる。
【０１１５】
なお、図１６では、３角度の測色方向（１５°、４５°、１１０°）の測色値の全ての値（Ｌ*値、ａ*値、ｂ*値）の変更が可能なような表示画面例であった。しかし、全ての値が変更可能であるとユーザにとってはどの値を調整すべきかを判断するのが困難な場合がある。
【０１１６】
そのため、図１８に示すように、複数の測色方向のそれぞれの測色値のうち、特定の値のみを変更可能なように表示するようにしても良い。図１８では、正面方向（４５°）において測色された測色値の全ての値（Ｌ*値、ａ*値、ｂ*値）および正反射方向において測色された測色値のうちの明度情報（Ｌ*値）を少なくとも変更可能なようにＵＩ装置３３の表示手段に表示する場合が示されている。
【０１１７】
なお、正面方向（４５°）については全ての値（Ｌ*値、ａ*値、ｂ*値）について変更可能なように表示するようにしているのは、印刷される特色画像の正面方向から見た場合の色味を調整することができるようにするためである。
【０１１８】
また、正反射方向（１５°）については明度情報（Ｌ*値）のみを変更可能なように表示するようにしているのは、正反射方向（１５°）の明度情報（Ｌ*値）を変更することにより、印刷される特色の光沢感を調整することが可能だからである。正反射方向（１５°）の明度情報（Ｌ*値）の値を大きくすれば、光沢感は増加し、正反射方向（１５°）の明度情報（Ｌ*値）の値を小さくすれば、光沢感は減少することになる。
【０１１９】
そして、図１８では、拡散方向（１１０°）の測色値は、正反射方向（１５°）の明度情報（Ｌ*値）以外の値（ａ*値、ｂ*値）については、変更される可能性が低いため、変更不可能なようにグレーアウト状態で表示されている。
【０１２０】
なお、ここでは、測色値が、少なくとも明度情報を含む表色系であるＣＩＥ  Ｌ*ａ*ｂ*色空間により表現されている場合を用いて説明しているが、明度情報を含む表色系であれば他の色空間により表現されている表色系を用いることも可能である。
【０１２１】
例えば、Ｌ*ｃ*ｈ表色系により測色値を表現するようにすることも可能である。ここで、Ｌ*ｃ*ｈ表色系におけるＬ*値は明度情報であり、ｃ*値は彩度情報であり、ｈ値は色相角度である。
【０１２２】
なお、ｃ＊値、ｈ値は、それぞれ、Ｌ＊ａ＊ｂ＊表色系におけるａ＊値、ｂ＊値に基づいて下記の式により表現される。
ｃ＊＝（（ａ＊）2＋（ｂ＊）2）1/2
ｈ＝ｔａｎ-1（ｂ＊／ａ＊）
【０１２３】
なお、上記で説明した実施形態では、制御部３２により測色値格納部４２に格納されている測色値の変更を行う場合を用いて説明したが、測色値登録部４１が測色装置５４から受け付けた測色値を測色値格納部４２に登録する際に、ユーザの操作を受付けて測色値の変更を行うようにしても良い。
【０１２４】
また、上記では正反射方向（１５°）、正面方向（４５°）、拡散光方向（１１０°）の３角度の測色方向の測色値を用いて、シルバートナーを含む各色のトナー量を算出する場合を用いて説明したが、３角度以上の４角度、５角度等の多角度の測色方向の測色値を用いてトナー量を算出するようにしても良い。例えば、正反射方向（１５°）、正反射方向（２５°）、正面方向（４５°）、拡散光方向（７５°）、拡散光方向（１１０°）の５角度の測色方向により測定対象画像５０の測色を行う場合を図１９に示す。
【０１２５】
この図１９に示したような測色方法により得られた５角度の測色方向の測色値を用いても、上記で説明したのと同様な方法によりシルバートナーを含む各色のトナー量を算出することが可能である。
【０１２６】
つまり、変換部４３は、正反射方向（１５°）、正面方向（４５°）、拡散反射方向（１１０°）の測色値に加えて、正面方向（４５°）よりも正反射方向（１５°）に近い方向（２５°）において測色された目標色画像の測色値や、正面方向（４５°）と光源５２による照射方向との間における拡散光方向（１１０°）において測色された目標色画像の測色値を用いて各色のトナー量を算出するようにしても良い。また、図２１に示したような測色方向以外の測色方向において測色された測色値を用いることも可能である。
【０１２７】
そして、トナー量の算出に用いる測色値の数が多い方が実際の光の下で見た場合の色味を色見本画像に近づけることができる。
【０１２８】
[変形例]
上記実施形態では、シルバートナー、ゴールドトナー等のメタリック（金属光沢色）トナーを用いて印刷を行う画像形成装置に対して適用した場合を用いて説明したが、本発明はこれに限定されるものではなく、トナー以外の色材であってもパール色材等の見る方向により色味が異なるような光輝性色材を用いて印刷を行う場合あれば同様に本発明を適用することができるものである。
【符号の説明】
【０１２９】
１０    画像形成装置
１１    ＣＰＵ
１２    メモリ
１３    記憶装置
１４    通信インタフェース（ＩＦ）
１５    ユーザインタフェース（ＵＩ）装置
１６    プリントエンジン
１７    後処理装置
１８    制御バス
２２    中間転写ベルト
２４    画像形成ユニット
２６    光走査装置
２８    定着器
３１    印刷ジョブ受信部
３２    制御部
３３    ＵＩ装置
３４    出力部
４０    色変換装置
４１    測色値登録部
４２    測色値格納部
４３    変換部
４４    色変換モデル記憶部
４５    多角度測色値推定部
４６    色変換モデル生成部
５０    測定対象画像
５２    光源
５４    測色装置
６１    基準用紙
６２    ユーザ用紙（特定用紙）
７０    色見本画像
【図１】
2019047337.tif 000003
【図２】
2019047337.tif 000004
【図３】
2019047337.tif 000005
【図４】
2019047337.tif 000006
【図５】
2019047337.tif 000007
【図６】
2019047337.tif 000008
【図７】
2019047337.tif 000009
【図８】
2019047337.tif 000010
【図９】
2019047337.tif 000011
【図１０】
2019047337.tif 000012
【図１１】
2019047337.tif 000013
【図１２】
2019047337.tif 000014
【図１３】
2019047337.tif 000015
【図１４】
2019047337.tif 000016
【図１５】
2019047337.tif 000017
【図１６】
2019047337.tif 000018
【図１７】
2019047337.tif 000019
【図１８】
2019047337.tif 000020
【図１９】
2019047337.tif 000021
【手続補正書】
【提出日】平成30年2月2日(2018.2.2)
【手続補正１】
【補正対象書類名】明細書
【補正対象項目名】００４５
【補正方法】変更
【補正の内容】
【００４５】
本実施形態の画像形成装置１０は、図４に示されるように、印刷ジョブ受信部３１と、制御部３２と、ＵＩ装置３３と、出力部３４と、色変換装置４０とを備えている。そして、色変換装置４０は、測色値登録部４１と、測色値格納部４２と、変換部４３と、色変換モデル（プリンタモデル）記憶部４４とを備えている。なお、色変換装置４０は、トナー量を決定するための色変換処理だけでなく、色変換モデルを生成する等の他の画像処理も実行する画像処理装置として機能する。
【手続補正２】
【補正対象書類名】明細書
【補正対象項目名】０１２６
【補正方法】変更
【補正の内容】
【０１２６】
つまり、変換部４３は、正反射方向（１５°）、正面方向（４５°）、拡散反射方向（１１０°）の測色値に加えて、正面方向（４５°）よりも正反射方向（１５°）に近い方向（２５°）において測色された目標色画像の測色値や、正面方向（４５°）と光源５２による照射方向との間における拡散光方向（７５°）において測色された目標色画像の測色値を用いて各色のトナー量を算出するようにしても良い。また、図１９に示したような測色方向以外の測色方向において測色された測色値を用いることも可能である。